(57)【特許請求の範囲】
【請求項１】
人の頭部の全体を覆うための筒状の本体部に、目に対応する部分のみが開口されるように編成された目出し帽子であって、
前記本体部の顔面側の人の鼻及び口に対応する部分に複数の小通気孔が設けられ、
前記本体部の顔面側の中央部のみが上下方向に沿って天竺編みされて、残りの部分がリブ編みされ、前記複数の小通気孔は、天竺編みされる部分にメッシュ編みにより形成されていることを特徴とする目出し帽子。
【発明の詳細な説明】
【技術分野】
【０００１】
本発明は、人の頭部の全体を覆うための筒状の本体部に、目に対応する部分のみが開口された目出し帽子に関するものである。
【背景技術】
【０００２】
目出し帽子は、スキー、登山等のスポーツを行う場合のみならず、スポーツ以外の一般用途として、冬季における防寒用としても使用される。そして、後者の一般用途の目出し帽子として、頭部全体を覆って当該頭部を防寒する本来の着用態様以外に、編成品である当該目出し帽子の伸縮性を利用することにより、複数の着用態様が可能なものとして、特許文献１，２に開示のものがある。
【０００３】
一方、スポーツ以外の一般用途の場合には、シャツの上にヴャンパー又はコートを覆った場合でも、前記シャツの首元の部分（胸上部）が開口している場合があり、目出し帽子のみでは、開口した首元の部分の防寒が十分になされないので、目出し帽子と併せてマフラー（ネックウォーマー）やスカーフをしていることが多い。特許文献１，２を含めて、従来の目出し帽子では、頭部のみ、或いはその伸縮性を利用して大きく縮ませることにより、マフラーやスカーフのようにして、首部のみを覆うことは可能であるが、前記シャツの開口した首元まで覆うことはできなかった。
【先行技術文献】
【特許文献】
【０００４】
【特許文献１】特開２００７−２１７８５１号公報
【特許文献２】実用新案登録第３１３４０６８号公報
【発明の概要】
【発明が解決しようとする課題】
【０００５】
本発明は、冬季において、例えばオーバーコートの下にシャツの首元（人体から見ると胸上部）を開口させた状態においても、本来の用途である人の頭部全体を覆ったままで、前記開口を覆うことが可能な着用態様を含めて、４ないし５の異なる着用態様が可能な目出し帽子の提供を課題としている。
【課題を解決するための手段】
【０００６】
【０００７】
【０００８】
上記課題を解決するための請求項１の発明は、人の頭部の全体を覆うための筒状の本体部に、目に対応する部分のみが開口されるように編成された目出し帽子であって、前記本体部の顔面側の人の鼻及び口に対応する部分に複数の小通気孔が設けられ、前記本体部の顔面側の中央部のみが上下方向に沿って天竺編みされて、残りの部分がリブ編みされ、前記複数の小通気孔は、天竺編みされる部分にメッシュ編みにより形成されていることを特徴としている。
【０００９】
請求項１の発明によれば、人の目を開口させるための開口部の上下の各縁部がそれぞれ目の上方及び下方に配置されて、鼻及び口の部分が本体部により覆われた基本着用態様においても、本体部における顔面側の鼻及び口が覆われる部分には、複数の小通気孔が設けられているために、基本着用態様における鼻及び口による呼吸が容易となる。また、本体部のうち前記開口部よりも上方の頭部を覆う部分を背面側に垂れ下げて、前記開口部の下端縁を目の下方に配置して使用すると、頭部における目よりも上方の部分は、全く覆われずに、本体部における複数の小通気孔が設けられた部分は、鼻及び口を覆って、恰も「フェイスマスク」のように機能すると共に、シャツの首元の開口が胸上部覆い部により覆われると共に、首部の全体が本体部における前記開口部よりも下方の部分で覆われるという目出し帽子の「新たな着用態様」となる。
【００１０】
【００１１】
また、請求項１の発明によれば、複数の小通気孔が設けられる部分が天竺編みされて、表面に凹凸部が存在しないので、複数の小通気孔の形成が容易になると共に、本体部の顔面側の中央部のみが上下方向に沿って天竺編みされて、残りの部分がリブ編みされているため、防寒性が増す。
【００１２】
【００１３】
【発明の効果】
【００１４】
本発明に係る目出し帽子は、人の目を開口させるための開口部の上下の各縁部がそれぞれ目の上方及び下方に配置されて、鼻及び口の部分が本体部により覆われた基本着用態様においても、本体部における顔面側の鼻及び口が覆われる部分には、複数の小通気孔が設けられているために、基本着用態様における鼻及び口による呼吸が容易となると共に、複数の小通気孔が設けられる部分が天竺編みされて、表面に凹凸部が存在しないので、複数の小通気孔の形成が容易になると共に、本体部の顔面側の中央部のみが上下方向に沿って天竺編みされて、残りの部分がリブ編みされているため、防寒性が増す。
【００１５】
【図面の簡単な説明】
【００１６】
【図１】本発明に係る目出し帽子Ｃの斜視図である。
【図２】同じく正面図である。
【図３】同じく変則側面図である。
【図４】図１のＸ−Ｘ線断面図である。
【図５】（ａ），（ｂ）は、それぞれ目出し帽子Ｃの「基本着用態様」の正面図、及び側面図である。
【図６】（ａ），（ｂ）は、それぞれ目出し帽子Ｃの「顔面のみを露出させた着用態様」の正面図、及び側面図である。
【図７】目出し帽子Ｃをフェイスマスク、及びネックウォーマーとして機能させた着用態様の側面図である。
【図８】目出し帽子Ｃをネックウォーマーとして着用する形態の側面図である。
【図９】（ａ），（ｂ）は、それぞれ目出し帽子Ｃの下方本体部３を開口部１の部分で上方本体部２の外側に配置されるように反転させた状態、及び当該反転後に胸上部覆い部Ｄを折り曲げて上方及び下方の各開口部１の間に挿入した状態の図である。
【図１０】目出し帽子Ｃを帽子として着用した形態の側面図である。
【発明を実施するための形態】
【００１７】
最初に、図１ないし図４を参照して、本発明に係るに目出し帽子Ｃについて説明し、その後、当該目出し帽子Ｃの複数の着用態様について説明する。図１は、本発明に係る目出し帽子Ｃの斜視図であり、図２は、同じく正面図であり、図３は、同じく変則側面図であり、図４は、図１のＸ−Ｘ線断面図である。ここで、目出し帽子Ｃの正面視とは、目出し帽子Ｃの表側と裏側とを重ね合わせた状態を、後述の開口部１が視認できる側から見ることを指し、変則側面視とは、開口部１が重なり合うように当該開口部１の中央部で目出し帽子Ｃを二枚重ねにしたものを、当該開口部１の半分が視認できる側から見たことを指す。
【００１８】
図１ないし図４において、目出し帽子Ｃは、編成品であって、頭頂部が閉塞された筒状となっていて、人の頭部全体を覆う本体部Ｂと、当該本体部Ｂにおける顔面側に延長して設けられて、人の胸の上部を覆う胸上部覆い部Ｄとから成り、本体部Ｂの顔面側における人の目に対応する部分には、横方向に沿った開口部１が形成されている。本体部Ｂに顔面側に開口部１が形成されることにより、本体部Ｂは、上方本体部２と下方本体部３とで形成され、下方本体部３における顔面側に前記胸上部覆い部Ｄが垂れ下がった状態で形成されている。胸上部覆い部Ｄは、図１ないし図３に表されているように、正面視において逆等脚台形状をなしていて、下端（開口部１から離れる側）に向かうに従って幅が狭くなっており、この結果、図３の側面視において重なり合って視認される胸上部覆い部Ｄの幅方向の形成端４は、下端に向けて幅が狭くなるように傾斜している。開口部１は、目出し帽子Ｃを円筒状に展開した状態で、中心角が１３０〜１５０°となるように形成される。
【００１９】
また、図５に示されるように、目出し帽子Ｃの本体部Ｂにより、人の頭部の全体を覆った状態で着用する基本着用態様において、本体部Ｂにおける人の鼻と口の位置に対応する部分には、複数の小通気孔５が形成されている。実施例では、複数の小通気孔５は、一辺が約６ｃｍの正方形内に、３０〜４０個形成されている。これにより、従来の目出し帽子においては、人の口、及び鼻の部分を長時間に亘って覆ったままであると、編成糸の隙間のみからでは呼吸をしずらくなることがあったが、図５の基本着用態様、或いは図７の「フェイスマスク」のような使用態様においても、鼻、及び口の部分を下方本体部３により覆った場合でも、呼吸が容易となる。
【００２０】
本発明に係る目出し帽子Ｃは、編成品であって、図２で幅Ｗで示される本体部Ｂの顔面側の中央部のみが上下方向に沿って天竺編みされて、天竺部１１となっていて、残りの部分がリブ編みされてリブ編部１２となっている。従って、上記した複数の小通気孔５は、天竺編みされた中央部の幅Ｗ内に配置されている。
【００２１】
そして、本発明に係る目出し帽子Ｃは、編成糸である「１／７サイズ」のタクテルモール糸を、株式会社島精機製作所製の無縫製形式の横編機を用いて編成したものである。このため、編成された目出し帽子Ｃには、縫製部である縫い目が存在していないので、人の頭部及び首部を覆った場合において、着心地、及びフィット感が良好となる。また、タクテルモール糸は、肌触り感覚が良好であると共に、防寒性能が高いので、目出し帽子Ｃの編成糸として好適である。
【００２２】
次に、図５ないし図１０を参照して、上記目出し帽子Ｃの種々の着用態様について説明する。図５は、目出し帽子Ｃの本体部Ｂにより、人の目のみが開口部１を通して出た状態で頭部２１の全体を覆うと共に、下方本体部３に接続して設けられた胸上部覆い部Ｄの下端部を、シャツ２２の開口２３から内側に挿入して、胸の上部を覆った「基本着用態様」である。このため、シャツ２２の開口２３を目出し帽子Ｃの胸上部覆い部Ｄにより覆うことができるため、頭部２１の全体の防寒に加えて、シャツ２２の開口２３により露出する胸の上部も覆うことができる。また、目出し帽子Ｃの顔面側（前面側）の天竺部１１に形成された複数の小通気孔５が人の鼻と口の部分に配置されるため、頭部における目のみを露出させて、頭部の残りの部分を全て目出し帽子Ｃの本体部Ｂで覆った状態においても、複数の小通気孔５を通して呼吸が容易となる。
【００２３】
また、図６は、本体部Ｂに形成された開口部１の上端縁１ａは、上記した「基本着用態様」とほぼ同一位置に配置されるが、開口部１を下方に向けて大きく拡げることにより、下端縁１ｂを顎の部分に引っ掛けて、顔面のみを露出させて、頭部の残りの部分を本体部Ｂで覆うと共に、胸の上部２４を胸上部覆い部Ｄにより覆った着用態様である。目出し帽子Ｃが編成品であるために、開口部１を大きく拡げることが可能となる。
【００２４】
また、図７は、目出し帽子Ｃをフェイスマスク及びネックウォーマーとした着用態様を示す側面図である。本体部Ｂの開口部１がほぼ円形となるように大きく拡げると共に、上方本体部２を頭部の背面側に垂れ下げ、下方本体部３により人の首部を覆って着用する形態である。なお、胸上部覆い部Ｄは、他の着用態様と同様に、人の胸の上部に垂れ下がって、当該部分を覆う。本着用態様は、本発明の独自のものであって、下方本体部３の天竺部１１に形成された複数の小通気孔５により鼻及び口による呼吸を容易にしていて、「フェイスマスク」として機能する点に着用態様の特徴がある。
【００２５】
また、図８は、目出し帽子Ｃをネックウォーマーとして着用する形態の側面図である。本体部Ｂの開口部１がほぼ円形となるように拡げて、ほぼ円形の開口部１により人の首部の部分にすっぽり巻き付けてネックウォーマーとして着用される。なお、胸上部覆い部Ｄは、シャツ２２の開口２３の部分に垂れ下がって、胸の上部２４である当該開口２３の部分を覆う。
【００２６】
また、図９（ａ），（ｂ）は、それぞれ目出し帽子Ｃの下方本体部３を開口部１の部分で上方本体部２の外側に配置されるように反転させた状態、及び当該反転後に胸上部覆い部Ｄを折り曲げて上方及び下方の各開口部１の間に挿入した状態の図である。これにより、図１０に示されるように、目出し帽子Ｃを通常の帽子のようにして着用することも可能となる。
【００２７】
また、上記実施例の目出し帽子Ｃは、本体部Ｂの頭頂部が閉塞されているために、防寒性が高まるが、本発明においては、本体部Ｂの頭頂部が閉塞されていることは、必要不可欠な要件ではないので、本体部の頭頂部に小さな開口が設けられている構成の目出し帽子も本発明の対象となる。
【符号の説明】
【００２８】
Ｂ：本体部
Ｃ：目出し帽子
Ｄ：胸上部覆い部
１：開口部
２：上方本体部
３：下方本体部
５：小通気孔
１１：天竺部
１２：リブ編部
２１：頭部
２３：シャツの開口
２４：胸の上部
【図１】
0005559578.tif 000002
【図２】
0005559578.tif 000003
【図３】
0005559578.tif 000004
【図４】
0005559578.tif 000005
【図５】
0005559578.tif 000006
【図６】
0005559578.tif 000007
【図７】
0005559578.tif 000008
【図８】
0005559578.tif 000009
【図９】
0005559578.tif 000010
【図１０】
0005559578.tif 000011